(57)【特許請求の範囲】
【請求項１】
相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、複数のＣＭＡＤＳバス入力用端子と、ＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力して増幅しシリアルパラレル変換回路に出力する第３のＣＭＡＤＳ受信回路とを備えることを特徴とする半導体集積回路。
【請求項２】
相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、半導体集積回路の平面視における１辺である第１の辺に沿って配置された複数のＣＭＡＤＳバス入力用端子と、第１の辺に対向する第２の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力して増幅しシリアルパラレル変換回路に出力する第３のＣＭＡＤＳ受信回路とを備えることを特徴とする半導体集積回路。
【請求項３】
前記ＣＭＡＤＳバス入力用端子が配置される辺に対して垂直方向の１辺を基準辺としＣＭＡＤＳバス入力用端子から基準辺までの距離が該ＣＭＡＤＳ入力用端子に対応するＣＭＡＤＳバス出力用端子から基準辺までの距離と等しくして配置されていることを特徴とする請求項２記載の半導体集積回路。
【請求項４】
前記内部ＣＭＡＤＳバス配線が内部回路を迂回して配置されていることを特徴とする請求項２または３記載の半導体集積回路。
【請求項５】
半導体集積回路はパッケージに実装されていて前記ＣＭＡＤＳバス入力用端子および前記ＣＭＡＤＳバス出力用端子がパッケージのリードであることを特徴とする請求項２，３または４記載の半導体集積回路。
【請求項６】
半導体集積回路はプリント基板に直接に実装されるチップであり、前記ＣＭＡＤＳバス入力用端子および前記ＣＭＡＤＳバス出力用端子がチップに設けられたパッドであること特徴とする請求項２，３または４記載の半導体集積回路。
【請求項７】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する半導体集積回路であって、半導体集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力して増幅しシリアルパラレル変換回路に出力する第３のＣＭＡＤＳ受信回路とを備えることを特徴とする半導体集積回路。
【請求項８】
相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、複数のＣＭＡＤＳバス入力用端子と、ＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを備えることを特徴とする半導体集積回路。
【請求項９】
相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、半導体集積回路の平面視における１辺である第１の辺に沿って配置された複数のＣＭＡＤＳバス入力用端子と、第１の辺に対向する第２の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力し増幅してシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを備えることを特徴とする半導体集積回路。
【請求項１０】
前記ＣＭＡＤＳバス入力用端子が配置される辺に対して垂直方向の１辺を基準辺としＣＭＡＤＳバス入力用端子から基準辺までの距離が該ＣＭＡＤＳ入力用端子に対応するＣＭＡＤＳバス出力用端子から基準辺までの距離と等しくして配置されていることを特徴とする請求項９記載の半導体集積回路。
【請求項１１】
前記内部ＣＭＡＤＳバス配線が内部回路を迂回して配置されていることを特徴とする請求項９または１０記載の半導体集積回路。
【請求項１２】
半導体集積回路はパッケージに実装されていて前記ＣＭＡＤＳバス入力用端子および前記ＣＭＡＤＳバス出力用端子がパッケージのリードであることを特徴とする請求項９，１０または１１記載の半導体集積回路。
【請求項１３】
半導体集積回路はプリント基板に直接に実装されるチップであり、前記ＣＭＡＤＳバス入力用端子および前記ＣＭＡＤＳバス出力用端子がチップに設けられたパッドであること特徴とする請求項９，１０または１１記載の半導体集積回路。
【請求項１４】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する半導体集積回路であって、半導体集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを備えることを特徴とする半導体集積回路。
【請求項１５】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続したことを特徴とする液晶表示装置。
【請求項１６】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子のそれぞれに接続した第１の内部ＣＭＡＤＳバス配線と、ＣＭＡＤＳバス出力用端子のそれぞれに接続した第２の内部ＣＭＡＤＳバス配線と、第１の内部ＣＭＡＤＳバス配線のＣＭＡＤＳ振幅の信号を入力し増幅してシリアルパラレル変換回路に出力するＣＭＡＤＳ受信回路と、ＣＭＡＤＳ受信回路の出力を入力してＣＭＡＤＳ振幅の信号に変換し第２の内部ＣＭＡＤＳバス配線に出力するＣＭＡＤＳ送信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続したことを特徴とする液晶表示装置。
【請求項１７】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子のそれぞれに接続した第１の内部ＣＭＡＤＳバス配線と、ＣＭＡＤＳバス出力用端子のそれぞれに接続した第２の内部ＣＭＡＤＳバス配線と、第１の内部ＣＭＡＤＳバス配線のＣＭＡＤＳ振幅の信号を入力し増幅してシリアルパラレル変換回路に出力するＣＭＡＤＳ受信回路と、ＣＭＡＤＳ受信回路の出力を入力してＣＭＡＤＳ振幅の信号に変換し第２の内部ＣＭＡＤＳバス配線に出力するＣＭＡＤＳ送信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続したことを特徴とする液晶表示装置。
【請求項１８】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力し増幅してシリアルパラレル変換回路に出力する第３のＣＭＡＤＳ受信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続したことを特徴とする液晶表示装置。
【請求項１９】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力し増幅してシリアルパラレル変換回路に出力する第３のＣＭＡＤＳ受信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続したことを特徴とする液晶表示装置。
【請求項２０】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続したことを特徴とする液晶表示装置。
【請求項２１】
相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続したことを特徴とする液晶表示装置。
【発明の詳細な説明】
【０００１】
【発明の属する技術分野】
本発明は、半導体集積回路および液晶表示装置に関し、特に、ＴＦＴ液晶パネルのソース側信号線を駆動する半導体集積回路および液晶パネルと複数のこれら半導体集積回路とを備える液晶表示装置に関する。
【０００２】
【従来の技術】
図８は、従来の一般的な液晶表示装置の概略構成図である。液晶表示装置６１においては、画像信号として、画像の明るさの段階を対数軸上で等間隔に表示した画像データを入力として用いる。基準電圧に基づいて、液晶表示装置側で画像データに応じて変化する大きさの直流電圧を発生し、液晶パネル６２に供給することによって画像表示を行う。この際、液晶パネル６２では、裏面から与えられる照明（バックライト）を透過させる程度によって輝度が定まる。一般的に多く使用されるノーマリ・ホワイト型の液晶パネルでは、入力が大きいほど透過率が小さくなり、画像データに対する入力電圧と透過率との関係（Ｖ−Ｔ特性）が定まっているので、基準となる直流電圧（基準階調電圧Ｖγ）と画像データ入力とから液晶パネルのＶ−Ｔ特性に合わせるための補正（ガンマ（γ）補正）を行った所要の直流電圧を発生し、液晶パネル６２に供給できるようになっている。
【０００３】
表示装置制御部６３から信号線駆動集積回路６５へのデータ転送方法は、画像データ（Ｒｅｄ、Ｇｒｅｅｎ、Ｂｌｕｅ）と同期データとが表示装置制御部６３に入力され、表示装置制御部６３は画像データＤＡＴと信号側制御信号ＣＯＮ１，ＣＯＮ２を出力する。これらの信号は、液晶表示装置１の基板に設けられた配線を通して複数の信号線駆動集積回路６５−１〜６５−ｍのそれぞれの入力端子に接続される。すなわち、表示装置制御部６３の１個の出力端子に対して、複数の信号線駆動集積回路６５の入力端子が接続される。
【０００４】
以下、図８の従来の液晶表示装置の構成および動作について説明する。液晶表示装置６１は、液晶パネル６２と、表示制御回路６３と、走査線駆動部６４、ｍ個の信号線駆動集積回路６５−１〜６５−ｍとを備えて構成されている。個数ｍは、液晶パネル６２の信号線入力数と信号線駆動集積回路６５の信号線駆動出力数との比により定められる。
【０００５】
液晶パネル６２は、表示面に縦（垂直）方向に複数行の走査線を形成する配線を配列するとともに、横（水平）方向に複数列の信号線を形成する配線を配列し、更に各行の走査線と各列の信号線との交点毎に画素電極を配置し、それぞれの画素電極と対応する信号線との間に薄膜トランジスタ（Thin Film Transistor：ＴＦＴ）を設け、各ＴＦＴのゲートを対応する走査線に接続した構成を有している。この場合、各画素電極は、水平方向に赤（Ｒ）、緑（Ｇ）、青（Ｂ）の各色が、順次配列されて走査線に接続されることによってカラーの１画素を構成し、このような画素が水平方向に第１の所定数だけ走査線に沿って配列されているとともに、垂直方向には、各信号線毎に同色の画素電極が第２の所定数だけ接続されて、１画素面を構成するようになっている。
【０００６】
表示制御回路６３は、シリアルデータからなるＲ，Ｇ，Ｂの各色の画像データを、同期データにしたがって、走査線毎に液晶パネル２の画素配列に対応して並べ替えた画像データＤＡＴを、信号線駆動集積回路６５−１〜６５−ｍに出力するとともに、同期データに応じて、信号線駆動集積回路６５−１〜６５−ｍに対して信号側制御信号ＣＯＮ１，ＣＯＮ２を出力し、また走査線駆動部６４に対して走査側制御信号ＣＯＮ３を出力する。信号側制御信号ＣＯＮ１は比較的低速で変化する信号で、シフト方向切換信号Ｒ／Ｌ、ラッチ信号ＳＴＢなどを含む。信号側制御信号ＣＯＮ２は高速で変化する信号で、クロックＣＬＫ、極性反転ＰＯＬなどを含む。
【０００７】
走査線駆動部６４は、走査側制御信号ＣＯＮ３に基づいて、１フィールド期間毎に各走査線に対して走査信号を出力する。信号線駆動集積回路６５は、信号側制御信号ＣＯＮ１，ＣＯＮ２に基づいて、１走査期間毎に表示制御回路６３から並べ替えられた画像データＤＡＴと基準階調電圧Ｖγとを用い、液晶パネル２のＶ−Ｔ特性に応じてガンマ補正が行われた信号を生成して各信号線毎に出力する。
【０００８】
以下、液晶表示装置６１の概略の動作について説明する。パソコン等からなる画面描画装置（図示しない）は、Ｒ，Ｇ，Ｂの各色毎に、例えばシリアルに画像データを出力する。各色の画像データは、表示しようとする画像の階調数に対応し、例えば６４階調の場合には６ビットのデジタル化された信号からなっている。また、画面描画装置は、同期データとして、各フィールドの表示期間に対応して垂直同期信号を出力し、各行の走査期間に対応して水平同期信号を出力する。
【０００９】
液晶表示装置６１において、表示制御回路６３は、水平／垂直の同期データに基づいて、入力されたＲ，Ｇ，Ｂの各画像データを、走査線毎に、Ｒ，Ｇ，Ｂの繰り返しに並べ替え、液晶パネル６２の画素配列に対応して並べ替えられた画像データを信号線駆動集積回路６５−１〜６５−ｍに出力するとともに、走査線駆動部６４に対して走査側制御信号ＣＯＮ３を出力し、信号線駆動集積回路６５ー１〜６５−ｍに対して信号側制御信号ＣＯＮ１，ＣＯＮ２を出力する。
【００１０】
これによって、走査線駆動部６４では、走査側制御信号ＣＯＮ３に基づいて、垂直走査期間毎に１フィールドの画面を形成する走査信号を各走査線に対して順次出力するので、各走査線に接続されたＴＦＴがオン状態となり、その走査線に接続された各画素電極にそれぞれの信号線から信号電圧が供給される。
【００１１】
また、信号線駆動集積回路６５−１〜６５−ｍでは、表示制御回路６３から並べ替えられた画像データＤＡＴと、Ｒ，Ｇ，Ｂの各色に対応する基準階調電圧Ｖγとを用い、液晶パネル６２の各色のＶ−Ｔ特性に応じて、所定のガンマ値になるようにガンマ補正が行われた直流電圧からなる信号線駆動出力ＳＯを生成し、対応する各信号線に出力して液晶パネル６２に供給する。
【００１２】
図９は、信号線駆動集積回路６５の内部模式図である。シフトレジスタ、データレジスタ、ラッチ回路、レベルシフタ、Ｄ／Ａコンバータボルテージフォロア出力回路からなる内部回路１４を含む信号線駆動回路チップ７１は、例えばＴＣＰ(Tape Carrier Package)などに実装され、信号線駆動回路チップ７１のパッド２２と対応するパッケージの端子２３とが接続されている。一般に、１個の信号線駆動集積回路６５が液晶パネルへ供給する信号線駆動出力ＳＯの個数は数百個程度と非常に多いので、信号線駆動回路チップ７１では、信号線駆動出力用のパッドが配置される側の辺がこれに平面視で垂直方向の辺に比較して極端に大きい形状となる。信号線駆動集積回路６５の信号線駆動出力用の端子も信号線駆動出力用パッド側に対応した側に設けられる。入力側は、画像データＤＡＴの入力数が比較的多いこともあり、信号線駆動回路チップ７１の入力用のパッドは、信号線駆動出力用のパッドが配置される辺と対向する辺に沿って配置され、信号線駆動集積回路６５の入力用の各端子も同じ側に設けられる。すなわち、平面視で図９のように、入力用の各端子は信号線駆動集積回路６５の上部に設けられ、信号駆動出力用の端子は信号線駆動集積回路６５の下部に設けられるのが一般的な配置である。
【００１３】
【発明が解決しようとする課題】
ところで、近年医療分野などにおいて高精細に表示できるモニタ画面が求められている。例えば、Ｘ線で撮った体内の映像を写真と同等の高精度画面で表示できれば、体内の微妙な状態を外部から観察することが可能となるからである。そのような高精細映像を液晶表示装置で実現するには、高密度画面にする必要がある。高密度画面を実現するためには、画素の微細化が必要になり、同じ画面サイズの場合は液晶パネルにより多くの画素が設置されることになる。画像データ量は画素数に比例して多くなるので、それら画像データを表示するためには、データ転送の高速化を図ることが必要になる。しかし、データ転送を高速化するために転送クロックを高速にすると電磁ノイズ（ＥＭＩノイズ）が発生し、このノイズが画像データに重なって画質が低下するという相反する問題が起こってきた。
【００１４】
このＥＭＩノイズによる問題を解決する従来の技術として、特開平１１−１９４７４８号公報には、データバスの本数を増やしてパラレルでデータ転送を行うことにより、同じデータ転送量でクロック周波数を下げる技術が記載されている。しかしながら、この従来例の技術では、高精細化によるデータ量の増加に伴ってバス幅を増大させなければならないので、液晶表示装置６１内の配線領域が増大し、液晶表示装置が小型化できなくなるという問題点が生じる。液晶表示装置では、高精細化への対応と同時に、液晶表示装置６１の外枠が液晶パネル６２の外枠に極力近づくように小型化することが要求されているので、配線領域の増大が付随する技術では両方の課題を解決することができない。
【００１５】
ＥＭＩノイズが改良された高速インタフェース技術があれば、配線本数を増大させることなく表示装置制御部６３から複数の信号線駆動集積回路６５へ高速にデータ転送することが可能であるが、従来の低ＥＭＩ高速インタフェース技術として知られるＥＣＬインタフェース、ＬＶＤＳインタフェースなどでは、１個の送信回路から複数の受信回路に信号を転送することが困難であるか、または受信回路の個数に対応させて個別に最適設計する必要があるため容易に採用できなかった。これに対し、１個の送信回路から複数の受信回路へデータを高速に転送することに適した技術として、出願人が特開２００１−５３５９８号公報で開示した技術があり、この伝送方式をＣＭＡＤＳ（Current Mode Advanced Differential Signaling）と命名した。出願人は画像データ等の転送にこの技術を採用した液晶表示装置も提案している。ＣＭＡＤＳ回路では１００〜２００ｍＶ程度の振幅の差動信号対により送信回路と受信回路との間で信号を転送するため、他の低ＥＭＩのインタフェースと同等以上の低ＥＭＩ化が実現できる。ＣＭＡＤＳ回路で使用する送信回路をＣＭＡＤＳ送信回路、受信回路をＣＭＡＤＳ受信回路と呼び、ＣＭＡＤＳ送信回路とＣＭＡＤＳ受信回路との間の伝送路をＣＭＡＤＳバスと呼ぶ。
【００１６】
図１０は、特開２００１−５３５９８号公報に開示したＣＭＡＤＳ回路の一例の回路図である。ＣＭＡＤＳ回路は、２値の入力信号ＤＩに応じて交互にオンするＭＯＳトランジスタ８２および８３を有するＣＭＡＤＳ送信回路８１と、ＭＯＳトランジスタ８２がオンしたときに伝送路８４ａに所定値の電流を供給するＭＯＳトランジスタ８７とＭＯＳトランジスタ８３がオンしたときに伝送路８４ｂに所定値の電流を供給するＭＯＳトランジスタ８８とを有するＣＭＡＤＳ受信回路８６とを含んで構成され、ＣＭＡＤＳ受信回路８６内のＭＯＳトランジスタ８８のドレイン電圧ＤＲの反転したものを２値の受信出力信号ＤＯとして出力する。ＣＭＡＤＳ回路では、ＣＭＡＤＳ受信回路８６が電流を供給するので、図１０のように１個のＣＭＡＤＳ送信回路８１に対して複数のＣＭＡＤＳ受信回路８６−１，８６−２，８６−３を伝送路８４ａ，８４ｂを介して並列に接続した場合でも、ＣＭＡＤＳ送信回路８１のオープンドレインＭＯＳトランジスタ８２および８３のＯＮ時の抵抗を十分に小さく設定しておくことにより、接続個数に対応した最適設計などを必要とせずに支障なく動作するという利点がある。
【００１７】
出願人が提案したこのＣＭＡＤＳ回路を液晶表示装置に適用することにより、すなわち、表示装置制御部６３の画像データ等の出力部にＣＭＡＤＳ送信回路を設けて画像データＤＡＴをＣＭＡＤＳバスに送出し、信号線駆動集積回路６５−１〜６５−ｍのそれぞれの入力部にＣＭＡＤＳ受信回路を設けることにより、画像データＤＡＴ等の高速信号の配線数を削減して液晶表示装置を小型化することが可能であり、これを第２の従来技術とする。ＣＭＡＤＳ回路では、従来のＣＭＯＳ回路による伝送に比較して４倍程度の速度での伝送が可能なので２線式であっても１／２以下のバス配線本数に削減できる。このように、出願人は、ＣＭＡＤＳ回路を液晶表示装置に適用することにより高精細なかつ小型の液晶表示装置を実現した。
【００１８】
しかしながら、小型化の要求はとどまるところを知らず、高精細な表示装置の更に一層の小型化が強く要求されている。本発明の目的は、ＣＭＡＤＳバスを採用する第２の従来技術により出願人が実現した小型化を越え、更に一層小型な高精細液晶表示装置を実現することが可能な技術を提供することにある。
【００２１】
【課題を解決するための手段】
第３の発明の半導体集積回路は、相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、複数のＣＭＡＤＳバス入力用端子と、ＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力して増幅しシリアルパラレル変換回路に出力する第３のＣＭＡＤＳ受信回路とを備えている。第３の発明では、ＣＭＡＤＳバス入力用端子が半導体集積回路の平面視における１辺である第１の辺に沿って配置され、ＣＭＡＤＳバス入力用端子のそれぞれに対応して設けられた複数のＣＭＡＤＳバス出力用端子が第１の辺に対向する第２の辺に沿って配置されることが好ましい。
【００２２】
第４の発明の半導体集積回路は、相補の小振幅信号対からなるＣＭＡＤＳ信号線対を複数含むＣＭＡＤＳバスを介してシリアルデータを受信しシリアルパラレル変換して内部回路に供給し信号処理する半導体集積回路であって、複数のＣＭＡＤＳバス入力用端子と、ＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを備えている。第４の発明では、ＣＭＡＤＳバス入力用端子が半導体集積回路の平面視における１辺である第１の辺に沿って配置され、ＣＭＡＤＳバス入力用端子のそれぞれに対応して設けられた複数のＣＭＡＤＳバス出力用端子が第１の辺に対向する第２の辺に沿って配置されることが好ましい。
【００２３】
第５の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続している。
【００２４】
第６の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子のそれぞれに接続した第１の内部ＣＭＡＤＳバス配線と、ＣＭＡＤＳバス出力用端子のそれぞれに接続した第２の内部ＣＭＡＤＳバス配線と、第１の内部ＣＭＡＤＳバス配線のＣＭＡＤＳ振幅の信号を入力し増幅してシリアルパラレル変換回路に出力するＣＭＡＤＳ受信回路と、ＣＭＡＤＳ受信回路の出力を入力してＣＭＡＤＳ振幅の信号に変換し第２の内部ＣＭＡＤＳバス配線に出力するＣＭＡＤＳ送信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続している。
【００２５】
第７の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子のそれぞれに接続した第１の内部ＣＭＡＤＳバス配線と、ＣＭＡＤＳバス出力用端子のそれぞれに接続した第２の内部ＣＭＡＤＳバス配線と、第１の内部ＣＭＡＤＳバス配線のＣＭＡＤＳ振幅の信号を入力し増幅してシリアルパラレル変換回路に出力するＣＭＡＤＳ受信回路と、ＣＭＡＤＳ受信回路の出力を入力してＣＭＡＤＳ振幅の信号に変換し第２の内部ＣＭＡＤＳバス配線に出力するＣＭＡＤＳ送信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続している。
【００２６】
第８の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力し増幅してシリアルパラレル変換回路に出力する第３のＣＭＡＤＳ受信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続している。
【００２７】
第９の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して内部ＣＭＡＤＳバス配線に出力する第１のＣＭＡＤＳ送信回路と、内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、内部ＣＭＡＤＳバス配線からＣＭＡＤＳ振幅の信号を入力し増幅してシリアルパラレル変換回路に出力する第３のＣＭＡＤＳ受信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続している。
【００２８】
第１０の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを有する液晶パネルの信号線駆動用半導体集積回路を、それぞれの信号線駆動用半導体集積回路の第１の辺が液晶パネルの信号線入力側の辺と平行に相対するようにしてｍ個（ｍ≧２の正整数）配列して備え、第ｉ（ｉは１からｍ−１までの正整数）番目の信号線駆動用半導体集積回路のＣＭＡＤＳバス出力用端子を第（ｉ＋１）番目の信号線駆動用半導体集積回路の対応するＣＭＡＤＳバス入力用端子にそれぞれ接続している。
【００２９】
第１１の発明の液晶表示装置は、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、ＣＭＡＤＳバス入力用端子と対応するＣＭＡＤＳバス出力用端子とを接続する内部ＣＭＡＤＳバス配線と、内部ＣＭＡＤＳバス配線からＣＭＡＤＳ振幅の信号を入力し増幅してシリアルパラレル変換回路に出力するＣＭＡＤＳ受信回路とを有する第１の信号線駆動用半導体集積回路と、相補の小振幅信号対からなるＣＭＡＤＳ信号線対を複数含むＣＭＡＤＳバスを介して画像データを受信しシリアルパラレル変換して内部回路に供給し信号処理して液晶パネルの信号線駆動出力を出力する集積回路であって、集積回路の平面視における１辺である第１の辺に沿って配置された複数の信号線駆動出力用端子と、第１の辺に対して垂直方向の第２の辺に沿って配置された複数のＣＭＡＤＳバス入力用端子と、第２の辺に対向する第３の辺に沿って配置されＣＭＡＤＳバス入力用端子のそれぞれに対応して設けられた複数のＣＭＡＤＳバス出力用端子と、第１の内部ＣＭＡＤＳバス配線と、第２の内部ＣＭＡＤＳバス配線と、ＣＭＡＤＳバス入力用端子からＣＭＡＤＳ振幅の信号を入力し増幅して出力する第１のＣＭＡＤＳ受信回路と、第１のＣＭＡＤＳ受信回路に隣接して設置され第１のＣＭＡＤＳ受信回路の出力を入力しＣＭＡＤＳ振幅の信号に変換して第１の内部ＣＭＡＤＳバス配線に出力する第１のＣＭＡＤＳ送信回路と、第２の内部ＣＭＡＤＳバス配線からＣＭＡＤＳ振幅の信号を入力し増幅して出力する第２のＣＭＡＤＳ受信回路と、第２のＣＭＡＤＳ受信回路に隣接して設置され第２のＣＭＡＤＳ受信回路の出力を入力しＣＭＡＤＳ振幅の信号に変換してＣＭＡＤＳ出力用端子に出力する第２のＣＭＡＤＳ送信回路と、第１の内部ＣＭＡＤＳバス配線からＣＭＡＤＳ振幅の信号を入力して増幅しシリアルパラレル変換回路に出力する第３のＣＭＡＤＳ受信回路と、第３のＣＭＡＤＳ受信回路の出力を入力しＣＭＡＤＳ振幅の信号に変換して第２の内部ＣＭＡＤＳバス配線に出力する第３のＣＭＡＤＳ送信回路とを有する第２の信号線駆動用半導体集積回路とを備え、第１の信号線駆動用半導体集積回路の所定の個数毎に第２の信号線駆動用半導体集積回路を置換挿入して計ｍ個（ｍ≧２の正整数）の信号線駆動用半導体集積回路をそれぞれの第１の辺が液晶パネルの信号線入力側の辺と平行に相対するようにして配列し、第ｉ（ｉは１からｍ−１までの正整数）番目の第１または第２の信号線駆動用半導体集積回路のＣＭＡＤＳバス出力用端子を第（ｉ＋１）番目の第１または第２の信号線駆動用半導体集積回路の対応するＣＭＡＤＳバス入力用端子にそれぞれ接続している。
【００３０】
【発明の実施の形態】
次に、本発明について図面を参照して詳細に説明する。図１は本発明の液晶表示装置の概略構成図である。ここで表示装置制御部３の機能は基本的には図８の表示装置制御部６３と同じであるが、高速の信号側制御信号ＣＯＮ２およびバスの配線本数を削減するために、画像データＤＡＴ等の転送信号をパラレルシリアル変換したのちにＣＭＡＤＳ送信回路によりＣＭＡＤＳ振幅の相補の信号として送信する。画像データＤＡＴ等をＣＭＡＤＳ方式により伝送することは第２の従来例と同様であるが、本発明では、ＣＭＡＤＳ方式とすることによってバスの信号本数が大幅に削減することに着目し、ＣＭＡＤＳバス配線が信号線駆動集積回路を貫通するようにした。
【００３１】
すなわち、本発明では、半導体集積回路であるところの信号線駆動集積回路５−１〜５−ｍのそれぞれについて、信号線駆動出力端子が配置される側の辺（例えば５−１の下辺）に対して平面視で垂直方向の一辺（例えば５−１の左辺）に沿ってＣＭＡＤＳ信号振幅の画像データＤＡＴ（および信号側制御信号ＣＯＮ２）を入力する端子を配列し、これと対向する辺（５−１の右辺）に沿って入力に１対１に対応してＣＭＡＤＳ信号振幅の画像データＤＡＴ（および信号側制御信号ＣＯＮ２）を出力する端子を配列する。それぞれの入力端子と入力端子に対応する出力端子において、入力端子から信号線駆動出力端子が配置される側の辺までの距離と、対応する出力端子から出力端子信号線駆動出力端子が配置される側の辺（５−１の下辺）までの距離とが等しくなるようにして、ＣＭＡＤＳ信号振幅の信号である画像データＤＡＴ等を出力する端子を設けることにより、実質的にＣＭＡＤＳバスを信号線駆動集積回路の内部を貫通して接続したと同等で、且つ、隣接した信号線駆動集積回路間の接続部で画像データＤＡＴ等のＣＭＡＤＳバス信号線が折れ曲がりなく接続することが可能となる。これにより、従来必要であった配線領域の大部分（図１で削減領域として示す）を削減することができ、第２の従来技術による液晶表示装置よりも一層小型の液晶表示装置を実現できる。なお、走査線駆動部４の機能・構成は、図８の走査線駆動部６４と同一であるので、説明を省略する。
【００３２】
図２は、本発明の第１の実施形態の半導体集積回路であるところの信号線駆動集積回路５の内部ブロックと表示装置制御部および隣接する信号線駆動集積回路との接続を模式的に示した図である。図２で、表示装置制御部３内のＣＭＡＤＳ送信回路１０は、図１０に示したＣＭＡＤＳ送信回路８１を複数個含むものである。表示装置制御部３は、クロックＣＬＫおよび極性反転ＰＯＬ等を含む高速な信号側制御信号ＣＯＮ２と、Ｒ，Ｇ，Ｂそれぞれの階調を表す画像データを例えば複数画素単位でパラレルシリアル変換して信号線本数を削減した画像データＤＡＴとをＣＭＡＤＳ送信回路１０に接続されたＣＭＡＤＳバスを介して信号線駆動集積回路５−１に伝送する。信号線駆動集積回路５−１は、受けた信号をＣＭＡＤＳ入力回路１１のＣＭＡＤＳ受信回路１２により内部回路の電源電圧ＶＤＤのレベルのＣＭＯＳ振幅の信号に増幅してシリアルパラレル変換回路１３に供給する。画像データは、シリアルパラレル変換回路１３により、表示装置制御部３でパラレルシリアル変換される前の画像データ形式に戻したのちに内部回路１４に供給する。内部回路１４は図９の従来の信号線駆動集積回路６５の内部回路と同様に、シフトレジスタ、データレジスタ、ラッチ回路、レベルシフタ、Ｄ／Ａコンバータ、ボルテージフォロア出力回路を含んで構成され、画像データと、Ｒ，Ｇ，Ｂの各色に対応する基準階調電圧Ｖγとを用い、液晶パネル２の各色のＶ−Ｔ特性に応じて、所定のガンマ値になるようにガンマ補正が行われた直流電圧からなる信号線駆動出力ＳＯを生成し、対応する各信号線に出力して液晶パネル２に供給する。なお、信号側制御信号ＣＯＮ１は、シフト方向切換信号Ｒ／Ｌ、ラッチ信号ＳＴＢなどの比較的低速で変化する信号であり、信号側制御信号ＣＯＮ２は、クロックＣＬＫ、極性反転ＰＯＬなどの高速で変化する信号であり、ＣＡＳはカスケード接続のための配線である。
【００３３】
本実施形態において、信号線駆動集積回路の５−１，５−２は下辺の端子から信号線駆動出力ＳＯを出力し、ＣＭＡＤＳ振幅の高速の信号側制御信号ＣＯＮ２（クロックＣＬＫ、極性反転ＰＯＬなど）と、ＣＭＡＤＳ振幅の画像データＤＡＴ（ｎ個のデータ信号ｄ１〜ｄｎを含む）とが信号線駆動集積回路の５−１の左辺の端子から入力されそれに対向する右辺の端子から出力されて、それが次の信号線駆動集積回路５−２の左辺の端子に入力される形態をとっている。信号線駆動集積回路５−１の左辺のデータｄ１を入力する端子と、右辺のデータｄ１を出力する端子とは、左辺のデータｄ１を入力する端子と下辺との距離と、右辺のデータｄ１を出力する端子と下辺との距離とが等しくなるようにして配置されている。データｄ２〜ｄｎおよびクロックＣＬＫ、極性反転ＰＯＬを入力する左辺の端子とそれぞれに対応して出力する右辺の端子についても同様の位置関係に設置されている。また、信号線駆動集積回路５−１〜５−ｎのすべてにおいて、左辺の端子と右辺の端子とは信号線駆動集積回路の５−１について説明したと同一の関係を有しているので、右辺から出力され信号の配線は、次の信号線駆動集積回路５−２の左辺の端子に配線の折れ曲がりなどが発生せず直接に入力できる。
【００３４】
図３は、第１実施形態の信号線駆動集積回路のレイアウトの模式図であり、図３（ａ）は、従来例の図９と同様に例えばＴＣＰなどのパッケージに実装した実施例の信号線駆動集積回路であり、図３（ｂ）は、チップを直接に液晶表示装置の基板に実装する実施例の信号線駆動集積回路である。
【００３５】
図３（ａ）では、信号線駆動チップ２１ａのそれぞれのパッド２２は信号線駆動集積回路５ａの外部リードである端子２３に接続されており、下辺の端子から信号線駆動出力ＳＯを出力し、信号線駆動集積回路５ａの左辺の端子から入力した画像データＤＡＴ等のＣＭＡＤＳバス配線はそれぞれ信号線駆動チップ２１ａの左辺のパッドに接続され、チップ内部のＣＭＡＤＳバス配線により右辺のパッドに接続され、パッドから左辺の端子へ接続されて出力する。信号線駆動集積回路５ａの左辺のデータｄｊ（ｊは１〜ｎの正整数）を入力する端子と下辺との距離と、右辺の端子のデータｄｊを出力する端子と下辺との距離とが同一であり、他の対応する左辺の端子と右辺の端子とも同様の関係であることは、既に説明したとおりである。なお、信号線駆動チップ２１ａ内では、図３（ａ）のように、信号振幅の大きい内部回路の信号変化が微小振幅のＣＭＡＤＳバス配線に干渉することを防ぐために、内部ＣＭＡＤＳバス配線を内部回路１４を迂回して配置することが望ましい。また、図示していないが、通常、パッド２２のうち少なくとも入力用のパッドおよび出力用のパッドにはＥＳＤなどの過電圧印加による破壊を防止する保護素子が設けられる。
【００３６】
図３（ｂ）では、パッド２４に例えばバンプが形成されていて、パッドがそのまま端子を兼用するので、信号線駆動チップ２１ｂのそれぞれのパッド２４は信号線駆動集積回路５ｂの端子となっており、下辺の端子から信号線駆動出力ＳＯを出力し、左辺の端子から入力した画像データＤＡＴ等のＣＭＡＤＳバス配線はチップ内部のＣＭＡＤＳバス配線により右辺の外部出力端子に接続されて出力する。信号線駆動集積回路５ｂの左辺の例えばデータｄ１を入力する端子と下辺との距離と、右辺の端子のデータｄ１を出力する端子と下辺との距離とが同一であり、他の対応する左辺の端子と右辺の端子とも同様の関係であることは、図３（ａ）と同様である。また、信号線駆動チップ２１ｂ内では、内部ＣＭＡＤＳバス配線を内部回路１４を迂回して配置することが望ましいことも図３（ａ）と同様である。また、通常、入力用のパッドおよび出力用のパッドには保護素子が設けられることも図３（ａ）と同様である。
【００３７】
一般に半導体集積回路チップはプリント基板に搭載されるが、プリント基板の配線ピッチは半導体集積回路チップ内の配線ピッチに比べて１０〜１００倍と遙かに大きい。本実施形態では、信号線駆動集積回路と液晶表示装置の基板とのインタフェース部で両者のピッチを合わせるために、プリント基板の入力配線は、信号線駆動集積回路に２つある短辺の片方において大部分のスペースをインタフェースの入力として使用し、信号線駆動集積回路の内部に配線スペースを設けてＣＭＡＤＳバスを金属配線を用いて配線し、もう片方の短辺における大部分のスペースをインタフェースの出力として使用する。
【００３８】
次に、本発明の第２実施形態について説明する。図４は、本発明の第２実施形態の信号線駆動集積回路３０の内部模式図である。左辺のデータｄｊ（ｊは１〜ｎの正整数）を入力する端子と、これと対応する右辺のデータｄｊを出力する端子とは、左辺のデータｄｊを入力する端子と下辺との距離と、右辺のデータｄｊを出力する端子と下辺との距離とが等しくなるようにして配置されていることは図２の第１実施形態の信号線駆動集積回路５と同様である。相違点は、第１実施形態ではＣＭＡＤＳ入力回路としてＣＭＡＤＳ受信回路１２とシリアルパラレル変換回路１３のみを備えていたのに対して、本実施形態は、ＣＭＡＤＳバスを受信するＣＭＡＤＳ受信回路３１と、シリアルパラレル変換回路１３に加えてＣＭＡＤＳ送信回路３２を備えている点である。本実施形態では、ＣＭＡＤＳバスを介して入力した画像信号ＤＡＴ等をＣＭＡＤＳ受信回路３１で電源電圧ＶＤＤレベルのＣＭＯＳ振幅の信号に増幅してシリアルパラレル変換回路に送出するとともに、一旦電源電圧ＶＤＤレベルのＣＭＯＳ振幅に変換した画像データＤＡＴ等の信号をＣＭＡＤＳ送信回路３２により再びＣＭＡＤＳ信号に変換して次段の信号線駆動集積回路に送出する。
【００３９】
図５（ａ）の信号側駆動集積回路の配置接続図を参照して第２実施形態におけるインタフェースの説明をする。画像データＤＡＴおよび信号側制御信号ＣＯＮ２が、表示装置制御部３のＣＭＡＤＳ送信回路１０からＣＭＡＤＳバスを通じて信号線駆動集積回路３０−１のＣＭＡＤＳ受信回路３１へ転送され、電源電圧ＶＤＤレベルのＣＭＯＳ振幅の信号に増幅される。受信されたデータは、信号線駆動集積回路３０−１の内部回路１４にて必要なデータであればシリアルパラレル変換回路１３へ取り込まれる。必要なデータでなければ、信号線駆動集積回路３０−１内のＣＭＡＤＳ送信回路３２でＣＭＡＤＳ振幅の信号に再変換し、隣接して配置された次の信号線駆動集積回路３０−２へデータを転送する。以後に続く信号線駆動回路３０−２〜３０−６は、信号線駆動回路３０−１と同様のインタフェース構造であり、同様に動作してデータ転送が行われる。
【００４０】
本形態形態では、第１実施形態の信号線駆動集積回路５の内部の配線負荷の影響等により多数の信号線駆動集積回路のＣＭＡＤＳ受信回路に一括してＣＭＡＤＳバスを接続すると正常に動作しなくなる危険性がある場合に、第２実施形態の信号線駆動集積回路３０を用いてＣＭＡＤＳバスにおいて信号レベルを強化して次段に送信することにより、安定で信頼度の高いデータ転送を行うことができる。第２実施形態の使用法として、勿論、図５（ａ）のように第２実施形態の信号線駆動集積回路３０のみを用いて直列接続してもよいが、図５（ｂ）のように、第１実施形態の信号線駆動集積回路５の所定段数の接続毎に第２実施形態の信号線駆動集積回路３０を置換挿入するようにしてもよい。このようにすることにより１個のＣＭＡＤＳ送信装置に対するＣＭＡＤＳ受信装置の個数を所定数以下に制限できるので、ＣＭＡＤＳバスの信号レベルを強化してデータ転送の信頼性を高めると同時に、ＣＭＡＤＳ伝送方式の特徴である並列受信を有効利用して液晶表示装置に搭載されるＣＭＡＤＳ送信回路・受信回路の個数の増加を抑制できるため、図５（ａ）に比較して消費電力を低減することが可能となる。
【００４１】
なお、本実施例においても、図３（ａ）と同様に信号線駆動チップをパッケージに組み込んだ信号線駆動集積回路としてもよく、または、図３（ｂ）と同様に信号線駆動チップそのものが液晶表示装置のプリント基板に直接に実装する信号線駆動集積回路としてもよい。
【００４２】
次に、本発明の第３実施形態について説明する。図６は、本発明の第３実施形態の信号線駆動集積回路４０の内部模式図である。左辺のデータｄｊ（ｊは１〜ｎ）を入力する端子と、これと対応する右辺のデータｄｊを出力する端子とは、左辺のデータｄｊを入力する端子と下辺との距離と、右辺のデータｄｊを出力する端子と下辺との距離とが等しくなるようにして配置されていることは第１実施形態の信号線駆動集積回路５および第２実施形態の信号線駆動集積回路３０と同様である。第１実施形態の信号線駆動集積回路５との相違点は、本実施形態では、各信号線駆動集積回路毎に貫通して配置されているＣＭＡＤＳバスの入り口に第１のＣＭＡＤＳ受信回路４１ａおよび第１のＣＭＡＤＳ送信回路４２ａを対にして設置し、ＣＭＡＤＳバスの出口に第２のＣＭＡＤＳ受信回路４１ｂおよび第２のＣＭＡＤＳ送信回路４２ｂを対にして設置している点である。
【００４３】
次に、第３実施形態におけるインターフェイスについて説明する。画像データ信号ＤＡＴおよび信号側制御信号ＣＯＮ２が、ＣＭＡＤＳバスを通して信号線駆動集積回路４０に送信され第１のＣＭＡＤＳ受信回路４１ａで受信される。受信されたデータは、第１のＣＭＡＤＳ送信回路４１ｂにより再度ＣＭＡＤＳ振幅の信号に変換され、信号線駆動集積回路４０の内部のＣＭＡＤＳバスを通して伝送される。信号線駆動集積回路４０の内部回路１４に必要なデータであれば、第３のＣＭＡＤＳ受信回路４１ｃへ取り込まれ、必要でないデータは、信号線駆動集積回路４０の出口にある第２のＣＭＡＤＳ受信回路４１ｂへ送信される。第２のＣＭＡＤＳ受信回路４１ｂで受信されたデータは、第２のＣＭＡＤＳ送信回路４２ｂによりＣＭＡＤＳ振幅の信号に再々度変換され、次段の信号線駆動集積回路（図示せず）へデータが送信される。
【００４４】
本実施形態も、第２実施形態の信号線駆動集積回路３０と同様に、第１実施形態の信号線駆動集積回路５の内部の配線負荷の影響等により多数の信号線駆動集積回路のＣＭＡＤＳ受信回路に一括してＣＭＡＤＳバスを接続すると正常に動作しなくなる危険性がある場合に、第１実施形態の信号線駆動集積回路５に換えて使用することにより、安定で信頼度の高いデータ転送を行うことができる。本実施形態では、外部から入力したＣＭＡＤＳ振幅の信号を一旦増幅してからすぐに再変換して内部ＣＭＡＤＳバスにのせているので、信号線駆動集積回路内部の配線負荷の影響に対して第２の実施形態よりさらに安定となる。また、第３実施形態の信号線駆動集積回路４０も、図５（ａ）と同様に、信号線駆動集積回路４０のみを直列接続して用いてもよいが、図５（ｂ）と同様に、第１実施形態の信号線駆動集積回路５の所定段数の接続毎に信号線駆動集積回路４０を置換挿入することによりＣＭＡＤＳバスの信号レベルを強化してデータ転送の信頼性を高めると同時に消費電力を低減することが可能となる。
【００４５】
なお、本実施形態においても、図３（ａ）と同様に信号線駆動チップをパッケージに組み込んだ信号線駆動集積回路としてもよく、または、図３（ｂ）と同様に信号線駆動チップそのものが液晶表示装置のプリント基板に直接に実装する信号線駆動集積回路としてもよい。
【００４６】
次に、本発明の第４実施形態について説明する。左辺のデータｄｊ（ｊは１〜ｎの正整数）を入力する端子と、これと対応する右辺のデータｄｊを出力する端子とは、左辺のデータｄｊを入力する端子と下辺との距離と、右辺のデータｄｊを出力する端子と下辺との距離とが等しくなるようにして配置されていることは第１実施形態の信号線駆動集積回路５、第２実施形態の信号線駆動集積回路３０および第３実施形態の信号線駆動集積回路４０と同様である。図７は、本発明の第４実施形態の信号線駆動集積回路５０の内部模式図である。信号線駆動集積回路５０は、第２実施形態の信号線駆動集積回路３０と第３実施形態の信号線駆動集積回路４０とを重ね合わせた形態を持っている。すなわち、信号線駆動集積回路４０と同様に、ＣＭＡＤＳバスの入り口に第１のＣＭＡＤＳ受信回路５１ａおよび第１のＣＭＡＤＳ送信回路５２ａを対にして設置し、ＣＭＡＤＳバスの出口に第２のＣＭＡＤＳ受信回路５１ｂおよび第２のＣＭＡＤＳ送信回路５２ｂを対にして設置するとともに、信号線駆動集積回路３０と同様に、第１の内部ＣＭＡＤＳバスから受信する第３のＣＭＡＤＳ受信回路５１ｃと第２の内部ＣＭＡＤＳバスに送信する第３のＣＭＡＤＳ送信回路５２ｃとを備えている。第１のＣＭＡＤＳ送信回路５２ａから第１の内部ＣＭＡＤＳバスにより転送されたＣＭＡＤＳ振幅の信号を第３のＣＭＡＤＳ受信回路５１ｃによりＣＭＯＳ振幅の信号に増幅してシリアルパラレル変換回路１３に供給し、また、第３のＣＭＡＤＳ送信回路５２ｃによりこのＣＭＯＳ振幅の信号を再度ＣＭＡＤＳ振幅の信号に変換して第２の内部ＣＭＡＤＳバスを通じて第２のＣＭＡＤＳ受信回路５１ｂに供給する。
【００４７】
本実施形態も、第１実施形態の信号線駆動集積回路５の内部の配線負荷の影響等により多数の信号線駆動集積回路のＣＭＡＤＳ受信回路に一括してＣＭＡＤＳバスを接続すると正常に動作しなくなる危険性がある場合に、第１実施形態の信号線駆動集積回路５に換えて使用することにより、安定で信頼度の高いデータ転送を行うことができ、第３実施形態と同様に、信号線駆動集積回路内部の配線負荷の影響に対しては第２の実施形態よりさらに安定性を向上できる。また、第４実施形態の信号線駆動集積回路５０も、図５（ａ）と同様に、信号線駆動集積回路５０のみを直列接続して用いてもよいが、図５（ｂ）と同様に、第１実施形態の信号線駆動集積回路５の所定段数の接続毎に信号線駆動集積回路５０を置換挿入することによりＣＭＡＤＳバスの信号レベルを強化してデータ転送の信頼性を高めると同時に消費電力を低減することが可能となる。
【００４８】
なお、本実施例においても、図３（ａ）と同様に信号線駆動チップをパッケージに組み込んだ信号線駆動集積回路としてもよく、または、図３（ｂ）と同様に信号線駆動チップそのものが液晶表示装置のプリント基板に直接に実装する信号線駆動集積回路としてもよい。
【００４９】
以上は、信号線駆動集積回路にＣＭＡＤＳバスを貫通させてプリント基板上の配線領域を低減する技術を液晶表示装置に適用した例であるが、本発明はこれに限定されるものでなく、例えば、ＭＰＵチップ、メモリチップ、ペリフェラルチップ等を有するマイクロコンピュータにおいて、転送データをパラレルシリアル変換するとともにＣＭＡＤＳ振幅の信号とし、各チップ間をＣＭＡＤＳバスが貫通するように配置して結合することにより、高信頼性で高速のマイクロコンピュータを実現できるものである。
【００５０】
【発明の効果】
以上のように、ＣＭＡＤＳバスを用いることにより画像データ等の信号を伝送するバス配線の本数を削減して信号線駆動集積回路における信号線駆動出力の外部出力端子が配置される辺と垂直方向の辺から入力できるようにするとともに、信号線駆動集積回路のそれぞれのＣＭＡＤＳ外部入力端子と対応する外部出力端子とを信号線駆動出力の外部出力端子が配置される辺からの距離が同一になるように配置して、実質的にＣＭＡＤＳバス配線が信号線駆動集積回路を貫通するように設けたので、これまで配線ピッチが大きいプリント基板上に配置されていたバス配線を配線ピッチの小さい集積回路チップ内部に収納することが可能となり、プリント基板が小型化でき、高速高精細の液晶表示装置を第２の従来例で実現できる限界よりも更に小型化することが可能となった。
【図面の簡単な説明】
【図１】本発明の液晶表示装置の概略構成図である。
【図２】本発明の第１の実施形態の信号線駆動集積回路の内部ブロックと表示装置制御部および隣接する信号線駆動集積回路との接続を模式的に示した図である。
【図３】第１実施形態の信号線駆動集積回路のレイアウトの模式図であり、（ａ）は、パッケージに実装した例であり、（ｂ）は、チップを直接に液晶表示装置の基板に実装する例である。
【図４】本発明の第２実施形態の信号線駆動集積回路の内部模式図である。
【図５】第２実施形態の信号側駆動集積回路の配置接続図である。
【図６】本発明の第３実施形態の信号線駆動集積回路の内部模式図である。
【図７】本発明の第４実施形態の信号線駆動集積回路の内部模式図である。
【図８】従来の液晶表示装置の概略構成図である。
【図９】信号線駆動集積回路の内部模式図である。
【図１０】ＣＭＡＤＳ回路の回路図である。
【符号の説明】
１    液晶表示装置
２    液晶パネル
３    表示装置制御部
４    走査線駆動部
５，３０，４０，５０    信号線駆動集積回路
１０，３２，４２ａ，４２ｂ，５２ａ，５２ｂ，５２ｃ    ＣＭＡＤＳ送信回路
１１    ＣＭＡＤＳ入力回路
１２，３１，４１ａ，４１ｂ，５１ａ，５１ｂ，５１ｃ    ＣＭＡＤＳ受信回路
１３    シリアルパラレル変換回路
１４    内部回路
２１ａ，２１ｂ    信号線駆動チップ
２２，２４    パッド
２３    端子
ＣＯＮ１，ＣＯＮ２    信号側制御信号
ＤＡＴ    画像データ
ＳＯ    信号線駆動出力
【図１】
0004907797.tif 000002
【図２】
0004907797.tif 000003
【図３】
0004907797.tif 000004
【図４】
0004907797.tif 000005
【図５】
0004907797.tif 000006
【図６】
0004907797.tif 000007
【図７】
0004907797.tif 000008
【図８】
0004907797.tif 000009
【図９】
0004907797.tif 000010
【図１０】
0004907797.tif 000011